Podtech/llm-jp-corpus-v4-ja_patent huggingface dataset:
(57)【要約】【課題】塵埃や異物の侵入が阻止され、開封も容易な差込封緘式の包装箱を提供する。【解決手段】後板３に連設した蓋板８を閉じて、その先端の差込片９を前板１の裏面沿いに差し込み、差込片９の切込１０を側板２から延びる側フラップ７に係合させて封緘する包装箱において、前板１の端縁に中フラップ１２を連設し、差込片９を複数に分割して、各差込片９を蓋板８の裏側に重ねた中フラップ１２の両側方に差し込み、差込片９の切込１０を中フラップ１２に係合させる。前板１の端縁部の撓みが防止され、差込片９と前板１との間の隙間の発生が防止される。開封に際し、前板１の中フラップ１２が繋がる端縁部分を押すと、蓋板８が変形して、差込片９と中フラップ１２の係合が解除される。【選択図】図３
2007176531.tif 000002
【特許請求の範囲】
【請求項１】
前板１、側板２及び後板３から周壁を形成して底面を閉じ、後板３に連設した蓋板８の先端に差込片９を設け、側板２から延びる側フラップ７を内側へ折り曲げ、蓋板８を閉じて、差込片９を前板１の裏面沿い差し込み、差込片９の切込１０を側フラップ７に係合させて封緘する包装箱において、前板１の端縁に中フラップ１２を連設し、差込片９を複数に分割して、各差込片９を蓋板８の裏側に重ねた中フラップ１２の両側方に差し込み、各差込片９の切込１０を中フラップ１２に係合させることを特徴とする包装箱。
【発明の詳細な説明】
【技術分野】
【０００１】
この発明は、各種商品の包装に使用する差込封緘式の包装箱であって、ワンタッチで開封できる機能を備えたものに関する。
【背景技術】
【０００２】
一般に、図５に示すように、前板５１、両側板５２及び後板５３から周壁を形成して底面を閉じ、後板５３に連設した蓋板５４の先端に差込片５５を設け、両側板５２から延びる側フラップ５６を内側へ折り曲げ、蓋板５４を閉じて、差込片５５を前板５１の裏面沿いに差し込み、差込片５５の基部両側に入れた切込５７を側フラップ５６に係合させて封緘する包装箱が使用されている。
【発明の開示】
【発明が解決しようとする課題】
【０００３】
しかしながら、上記のような包装箱では、前板５１の幅が大きい場合、差込片５５が差し込まれる前板５１の端縁部が撓み、前板５１と差込片５５との間に隙間が生じて、箱内に塵埃や異物が侵入しやすいという問題があり、その対策として、粘着テープ等で厳重に封緘すると、開封が困難になるという問題が生じる。
【０００４】
そこで、この発明は、塵埃や異物の侵入が阻止され、かつ、開封が容易な差込封緘式の包装箱を提供することを課題とする。
【課題を解決するための手段】
【０００５】
上記課題を解決するため、この発明は、後板に連設した蓋板を閉じて、その先端の差込片を前板の裏面沿いに差し込み、差込片の切込を側板から延びる側フラップに係合させて封緘する包装箱において、前板の端縁に中フラップを連設し、差込片を複数に分割して、各差込片を蓋板の裏側に重ねた中フラップの両側方に差し込み、各差込片の切込を中フラップに係合させることとしたのである。
【発明の効果】
【０００６】
この包装箱では、差込片と中フラップの係合により、前板の端縁部の撓みが防止され、差込片と前板との間の隙間の発生が防止されるので、箱内への塵埃や異物の侵入が阻止され、商品の衛生状態が維持される。
【０００７】
また、前板の中フラップが繋がる端縁部分を押すと、蓋板が迫り出すように変形し、差込片と中フラップの係合が解除されるので、容易に開封することができる。
【発明を実施するための最良の形態】
【０００８】
以下、この発明の実施形態を添付図面に基づいて説明する。
【０００９】
図１に示すように、この包装箱のブランクでは、前板１の一側に側板２、後板３及び側板２が順次連設され、前板１の他側に継代片４が連設されている。前板１及び後板３の下端には底板５が、側板２の下端には底板６がそれぞれ連設され、側板２の上端には側フラップ７が連設されている。
【００１０】
後板３の上端には蓋板８が連設され、蓋板８の先端には、中間部に間隔をあけて分割された２枚の差込片９が設けられている。各差込片９の基部両側には切込１０が入れられ、蓋板８には、各差込片９の内側の切込１０の部分から基部両側方へ向けて斜めに罫線１１が入れられている。前板１の上端縁中間部には、中フラップ１２が連設されている。
【００１１】
このブランクを組み立てて商品を包装するには、図２に示すように、前板１、一対の側板２及び後板３を角筒状に折り曲げ、継代片４を反対側の側板２に貼り付けて周壁を形成し、底板５，６を貼り合わせ、底板５同士を噛み合わせて底面を閉止する。
【００１２】
そして、箱内に商品を収納し、側フラップ７を内側へ折り曲げ、中フラップ１２を後方へ折り曲げて、蓋板８を閉じ、各差込片９を前板１の裏面に沿って側フラップ７と中フラップ１２の間に差し込み、各差込片９の両側の切込１０と、側フラップ７及び中フラップ１２とを係合させ、包装箱を封緘する。
【００１３】
このように封緘すると、蓋板８が各差込片９の４ヶ所の切込１０で確実にロックされると共に、差込片９と中フラップ１２の係合により、前板１の端縁中間部の撓みが防止されて、差込片９と前板１との間の隙間の発生が防止されるので、箱内への塵埃や異物の侵入が阻止され、商品の衛生状態が維持される。
【００１４】
一方、この包装箱を開封する際には、前板１の端縁中間部付近を押すと、図３に示すように、蓋板８が罫線１１に沿って屈曲し、先端中間部で迫り出すように変形して、差込片９と中フラップ１２の係合が解除され、差込片９と側フラップ７の係合も外れやすくなるので、図４に示すように、蓋板８を容易に開くことができる。
【００１５】
なお、この実施形態では、前板１の端縁中間部に１枚の中フラップ１２を連設したものを例示したが、前板１の幅がさらに広い包装箱では、前板１の端縁に複数枚の中フラップ１２を間隔をあけて連設し、各中フラップ１２の両側方に、多数に分割した差込片９をそれぞれ差し込むと、前板１の撓みが確実に防止される。
【００１６】
また、周壁が四角筒のものだけでなく、六角筒や八角筒等の包装箱においても、前板１に隣接する側板２の側フラップ７と中フラップ１２の間に、分割した差込片９をそれぞれ差し込むことにより、同様の機能を付与することができる。
【図面の簡単な説明】
【００１７】
【図１】この発明の実施形態に係る包装箱のブランクを示す図
【図２】同上の封緘状態を示す斜視図
【図３】同上の開封過程を示す斜視図
【図４】同上の開封状態を示す斜視図
【図５】従来の包装箱の封緘状態を示す斜視図
【符号の説明】
【００１８】
１  前板
２  側板
３  後板
４  継代片
５，６  底板
７  側フラップ
８  蓋板
９  差込片
１０  切込
１１  罫線
１２  中フラップ
【図１】
2007176531.tif 000003
【図２】
2007176531.tif 000004
【図３】
2007176531.tif 000005
【図４】
2007176531.tif 000006
【図５】
2007176531.tif 000007
(57)【要約】【課題】以前は対角の芯を出すには、メジャーで対角に当てて測って正確差に欠けていたものを、正確で簡単にするため対角芯出し測定ホルダーにメジャーを装着し、対角を測定するもである。【解決手段】対角芯出し測定ホルダー１に市販のメジャー３を装着し、予め決めている位置となる測点にメジャー３の先端を当てがい、両方のメジャー３をホルダー１の先端より同じ寸法にして、測りたい対角側の測点まで延ばし、ホルダー１の中心点２より決まっている寸法を振り分けて、対角の測定を正確にすることが出来る事を特徴とする。【選択図】図１
2007206045.tif 000002
【特許請求の範囲】
【請求項１】
ホルダーに装着した、両方のメジャーをホルダーの先端より同じ寸法に引き出し、基準となる測点にメジャーの先端を当てがい、測りたい対角側の測点まで延ばし、ホルダーの中心点より決まっている寸法を振り分けて対角の測定を正確にすることが出来る、対角芯出し測定ホルダー。
【発明の詳細な説明】
【技術分野】
【０００１】本発明は、一般建設関係における、対角芯出し測定ホルダーに関する。
【背景技術】
【０００２】従来、対角の芯を出すには、メジャーを対角に当てて測ったものである。
【発明の開示】
【発明が解決しようとする課題】
【０００３】従来、メジャーだけでの対角測定では、基準となる寸法が出ていないので、メジャーを対角に当て直し何回も繰り返し測定しなければ、対角がでないので測定に時間がかかり正確差に欠ける。さらに、工事工程が進む中で、再度測定しなければならない。【０００４】本発明は、このようなに鑑みて成されたものであり、その目的は簡単、正確に、対角芯出し測定するようにしたものである。
【課題を解決するための手段】
【０００５】上述の目的を達成する本発明は、対角芯出し測定ホルダーに市販のメジャーを装着し、予め決めている位置となる測点にメジャーの先端を当てがい、両方のメジャーをホルダーの先端より同じ寸法にして、測りたい対角側の測点まで延ばし、ホルダーの中心点より決まっている寸法を振り分けて、対角の測定を正確にすることが出来る事を特徴とする。
【発明の効果】
【０００６】以上説明したように本発明では、対角芯出し測定ホルダーを使用すれば、短時間で作業が出来、簡単で正確な対角芯出し測定が出来るようにしたものである。
【発明を実施するための最良の形態】
【０００７】以下、本発明の実施の形態を図面に基づき詳細に説明する。【０００８】図１〜図３は、本発明の実施の形態に係り、図１はその外観正図面図２はその横図面である。図３はその実施図面である。【０００９】図１、図２に示すように本対角芯出し測定ホルダーに、市販のメジャーを装着し、図３が示すように予め決めている位置となる測点のメジャーの先端を当てがい、両方のメジャーをホルダーの先端より同じ寸法にして、ホルダーを測りたい対角側の測点まで延ばしホルダーの中心点より決まっている寸法を振り分けて、対角の測定を簡単で正確な測定が出来る。
【産業上の利用可能性】
【００１０】本発明は一般建設における、対角芯出し測定ホルダーを製造、販売する産業分野で利用することができる。
【図面の簡単な説明】
【００１１】
【図１】本発明の実施の形態に係る対角芯出し測定ホルダー外観正図面である。
【図２】対角芯出し測定ホルダー外観横図面である。
【図３】対角芯出し測定ホルダー実施図面である。
【符号の説明】
【００１２】  １      対角芯出し測定ホルダー
２      中心点
３      市販のメジャー
【図１】
2007206045.tif 000003
【図２】
2007206045.tif 000004
【図３】
2007206045.tif 000005
(57)【要約】【課題】オプションパラメータ設定の度ごとにパスワードを更新する場合に、パスワードの照合及びオプションパラメータの設定を自動かつ専用の装置を使用せずに行うことができる数値制御装置を提供する。【解決手段】数値制御装置１０は、パスワードを自動生成する機能を有し、オプションパラメータ設定の度ごとにパスワードを更新するタイプの数値制御装置である。ＰＣ２０は、数値制御装置１０で生成されたパスワードを自動又は手動で設定できるように構成される。ＰＣ２０は、外部から自動又は手動で入力されたオプションパラメータのデータを読み込むことができ、そのデータと数値制御装置１０から受信したパスワードとを一体化させた形態のデータ３０を作成する。【選択図】図１
2007206820.tif 000002
【特許請求の範囲】
【請求項１】
パスワードを自動生成し、オプションパラメータの設定の度ごとにパスワードを更新するように構成された数値制御装置であって、
パーソナルコンピュータで作成されたデータに含まれるパスワードと、前記数値制御装置で自動生成されたパスワードとを照合することができるように構成された、数値制御装置。
【請求項２】
前記パーソナルコンピュータが作成する前記データは、前記数値制御装置のオプション機能に対応したオプションパラメータを含み、前記数値制御装置は前記データを解読してオプションパラメータ設定を行うことができる、請求項１に記載の数値制御装置。
【請求項３】
前記パーソナルコンピュータが作成する前記データは、前記数値制御装置が解読可能な可逆的なデータ変換が施されたデータ形式を有する、請求項１又は２に記載の数値制御装置。
【発明の詳細な説明】
【技術分野】
【０００１】
本発明は、工作機械、放電加工機、射出成形機等の機械及び産業用ロボットを制御する数値制御装置に関する。
【背景技術】
【０００２】
数値制御装置のソフトウェアには通常、基本機能とオプション機能とがある。オプション機能を有効にするためには、対応するオプションパラメータを数値制御装置に設定する必要がある。数値制御装置の出荷時には通常、オプションパラメータは予め設定されている。しかし、ユーザ側で新たなオプション機能が必要となった場合には、ユーザ又はサービスマン等がその新たなオプション機能に対応するオプションパラメータを設定する必要がある。
【０００３】
一般に、オプションパラメータは秘密情報である。従って、従来はメーカに認証されたＩＤを持つユーザ若しくはサービスマンにより、又はパスワードを入力することにより、オプションパラメータの設定が可能であった。しかし認証されたＩＤやパスワードを他人に知られた場合、不正にオプションパラメータを設定される虞があった。そこで、例えば特許文献１及び２には、パスワードを自動生成し、オプションパラメータ設定の度ごとにパスワードを更新する数値制御装置が開示されている。
【０００４】
また従来は、オプションパラメータの設定はパスワード入力後に１つずつ人手で行われていたが、特許文献３に記載されるような、専用の装置を用いて自動で設定するシステムも開示されている。
【０００５】
【特許文献１】特開昭６２−２２４８０７号公報
【特許文献２】特開昭６２−２６９２１５号公報
【特許文献３】特許第３３０７１１９号公報
【発明の開示】
【発明が解決しようとする課題】
【０００６】
パスワードを自動生成し、オプションパラメータ設定の度ごとにパスワードを更新する場合は、パラメータ設定を上述のように人手で行うか専用の装置が必要であった。しかし前者の場合は時間がかかる上に入力ミスが発生する虞があり、後者の場合は費用面で不利である。
【０００７】
そこで本発明は、オプションパラメータ設定の度ごとにパスワードを更新する場合に、パスワードの照合及びオプションパラメータの設定を自動かつ専用の装置を使用せずに行うことができる数値制御装置を提供することを目的とする。
【課題を解決するための手段】
【０００８】
上記目的を達成するために、請求項１に記載の発明は、パスワードを自動生成し、オプションパラメータの設定の度ごとにパスワードを更新するように構成された数値制御装置であって、パーソナルコンピュータで作成されたデータに含まれるパスワードと、前記数値制御装置で自動生成されたパスワードとを照合することができるように構成された、数値制御装置を提供する。
【０００９】
請求項２に記載の発明は、請求項１に記載の数値制御装置において、前記パーソナルコンピュータが作成する前記データは、前記数値制御装置のオプション機能に対応したオプションパラメータを含み、前記数値制御装置は前記データを解読してオプションパラメータ設定を行うことができる、数値制御装置を提供する。
【００１０】
請求項３に記載の発明は、請求項１又は２に記載の数値制御装置において、前記パーソナルコンピュータが作成する前記データは、前記数値制御装置が解読可能な可逆的なデータ変換が施されたデータ形式を有する、数値制御装置を提供する。
【発明の効果】
【００１１】
本発明に係る数値制御装置は、汎用のパーソナルコンピュータによって作成されたパスワード及びオプションパラメータを含むデータを解読することができる。従って、オプションパラメータ設定の度ごとにパスワードを更新する場合に、パスワードの照合及びオプションパラメータの設定の双方を、高価な専用の装置を使用せずに、自動的かつ効率的に行うことができる。
【発明を実施するための最良の形態】
【００１２】
以下、図面を参照しながら本発明を詳細に説明する。図１は、本発明に係る数値制御工作機械１０及びそれに接続されたデータ作成装置２０を示す概略ブロック図である。数値制御装置１０は、パスワードを自動生成する機能を有し、オプションパラメータ設定の度ごとにパスワードを更新するタイプの数値制御装置である。一方データ作成装置２０は、例えばパーソナルコンピュータ（以降ＰＣと略称）のような汎用の外部機器であり、適当な回線を介して数値制御装置１０で生成されたパスワードを受信できるように構成される。
【００１３】
ＰＣ２０は、外部から自動又は手動で入力された、オプションパラメータを含む設定データを読み込むことができ、また数値制御装置１０で作成されたパスワードを自動又は手動で設定することができる。ＰＣ２０はさらに、オプションパラメータを含む設定データとパスワードとを一体化させた形態のデータ３０を作成する。数値制御装置１０は、作成されたデータ３０を取り込んで解読することができ、これによりパスワードの照合と、オプションパラメータの設定又は変更とを行うことができる。
【００１４】
ＰＣ２０が作成するデータ３０は、第三者が容易に解読又は改竄できないように、可逆的なデータ変換処理が施されたデータ形式を有することが好ましい。このデータ変換は、ＰＣ２０によって行うことができ、また当然、数値制御装置１０が解読可能な変換形式で行われる。
【図面の簡単な説明】
【００１５】
【図１】本発明に係る数値制御装置及びデータ作成装置の概略ブロック構成を示す図である。
【符号の説明】
【００１６】
１０    数値制御装置
２０    パーソナルコンピュータ
３０    データ
【図１】
2007206820.tif 000003
(57)【要約】【課題】透明プラスチックスを材料とするフレネルレンズにおいて、耐擦り傷性を向上すると同時に、表面に付着したチリ、汚れの類を容易にぬぐい去る事を可能とした積層体を得ること。【解決手段】少なくとも２層のプラスチック層からなる積層体であって、当該積層体を構成する層の内、少なくとも一つの層の表面に露出しない面の一部をフレネルレンズ加工する事。【選択図】図１
2007206657.tif 000002
【特許請求の範囲】
【請求項１】
少なくとも２層のプラスチック層からなる積層体であって、当該積層体を構成する層の内、少なくとも一つの層の外面に露出しない面の一部がフレネルレンズ構造に加工されている事を特徴とする積層体。
【請求項２】
請求項１記載の積層体からなる事を特徴とするレンズ。
【発明の詳細な説明】
【技術分野】
【０００１】  本発明は、透明プラスチックからなり、フレネルレンズ構造を有する積層体およびレンズに関するものである。
【背景技術】
【０００２】  近時、フラットパネルディスプレイ装置をはじめ、プラスチック製のフレネルレンズを応用する範囲が拡大しつつある。その理由としては、平板型である故に製品の厚さを従来型レンズを使用するより薄型化できる事、原料をプラスチック化する事による軽量化を計れる事があげられる。一方、プラスチック材料は傷つきやすいという欠点をもっており、ことにフレネルレンズは、通常、数ミクロンから数十ミクロンの刻みピッチおよび高さを持った三角形の溝を同心円状に刻んだ構造であることから、その微細な先端部はきわめて傷つきやすく、また該溝構造はチリ、汚れの類が付着しやすく取り除きにくい。
これらの弱点はフレネルレンズを日常的に携帯して使用する場合、大きな障害となる。
【発明の開示】
【発明が解決しようとする課題】
【０００３】  本発明が解決しようとする課題は、透明プラスチックを材料とするフレネルレンズにおいて、耐擦り傷性を向上する事と同時に、表面に付着したチリ、汚れの類をレンズとしての性能を損なう事なく、容易に拭い去る事を可能とした積層体およびレンズを提供する事である。
【問題を解決するための手段】
【０００４】  本発明者は、上記課題に鑑み鋭意検討した結果、特定の構造と構成を採用すれば、上記課題を容易に解決できる事を見出し、本発明を完成するに至った。
【０００５】  すなわち、本発明の要旨は、少なくとも２層のプラスチック層からなる積層体であって、積層体を構成する層の少なくとも一つの層の外面に露出しない面の一部がフレネルレンズ構造に加工されている事を特徴とする積層体、および当該積層体からなる事を特徴とするレンズに存する。
【０００６】  以下、本発明を具体的に説明する。
本発明における、フレネルレンズを含む面を持り層およびその他の層の基材となるプラスチック素材としては、例えばアクリル樹脂、ポリカーボネート樹脂、サイクリックポリオレフィン樹脂などの透明プラスチックがあげられる。
【０００７】  本発明における積層体は、上記の如き透明樹脂基材を用いて成形された平板を少なくとも２枚を積層したものであり、当該積層体を構成する少なくとも一つの層の外面に露出しない面の一部がフレネルレンズ型に加工されていることに特徴を有するものであるが、その作成には、プレス用金型を用いて、プラスチック平板を熱プレスする方法、あるいは射出成型用の金型を用いて、樹脂を射出成型する方法が用いられるが、プレス成型による方法の方が、数ミクロンから数十ミクロンの高さおよびピッチの微細な三角形の溝を刻んだ金型のパターンに対してより忠実な成型物を得る事が容易であって、得られる成型物の光学的な品質が高くなる点で好ましい。
【０００８】  本発明の積層体における各層の厚みは、０．５−２．０ｍｍの範囲が好ましく、全体の厚みは、１．０−４．０ｍｍが好ましい。厚みが薄くなるほど変形しやすくなり、厚くなればかさばり、携帯に不便となる。
【０００９】  本発明における各層の接着は、素材がアクリル樹脂の場合、当該樹脂を溶解する有機溶剤を用いる事が好ましい。有機溶剤を用いる事により、接着剤を用いる方法でみられる内部のフレネルレンズが曇るというような不具合が起こることもなく、さらに表面の硬度を向上させるために行うハードコートも、ディップ法を用いても差し支えなく行う事ができる。
【００１０】  本発明において用いられるプラスチック平板の表面は可能なかぎり鏡面に近い平滑性と平坦性を持つものが望ましい。
【発明の効果】
【００１１】  本発明によれば、得られる製品の外面が全て平坦な面であるため、擦り傷がつきにくく、チリや汚れを落としやすい、レンズを提供することができる。かくして得られた堅牢なレンズは携帯用の拡大鏡として使用する事ができる。
【発明を実施するための最良の形態】
【実施例】
【００１２】  名刺大のアクリル樹脂平板（厚み０．５ｍｍ）に、フレネルレンズ構造である同心円状にプリズム溝を刻んだ金型を当て、加熱プレスする事によって、フレネルレンズ構造を形成した。そのレンズ構造が形成された面にさらにもう一枚の名刺大のアクリル樹脂平板（厚み０．５ｍｍ）を重ね、両平板を有機溶剤を用いて貼りあわせた。出来上がった積層体はレンズとして曇りもなく、表裏両面が平坦、平滑であるので、チリ汚れも付きにくく、拭いやすい。また厚さが１ｍｍあるので、曲げ応力にたいして変形しにくく、携帯用として厚すぎない範囲内にあり利便性が高い。
【産業上の利用可能性】
【００１３】  本発明によるレンズは、外面にフレネルレンズ構造の溝が露出されず外面はすべて平坦面となるため、傷が付きにくく、またチリ、汚れも着きにくく、ついても容易にふき取れるので、携帯用の拡大レンズとして、常時手帳の間にはさんだり、携帯電話のストラップに取り付けたりして持ち歩く事が可能である。
【図面の簡単な説明】
【００１４】
【図１】  本発明における積層体の概念的に描かれた平面図である。
【図２】  本発明における積層体の概念的に描かれた断面図（ａ−ａ’の位置）である。
【符号の説明】
【００１５】  １  平面部分
２  フレネルレンズ構造部分
３  接着部分
４  フレネルレンズ構造が刻まれた平板
５  上下両面が平坦な平板
６  ハードコート層
【図１】
2007206657.tif 000003
【図２】
2007206657.tif 000004
(57)【要約】【課題】  ステンドグラスの絵柄模様部分に凸凹の加工を施して、側面に発光ダイオード（フルカラーＬＥＤ）を取り付けて部分的に多彩な色の変化を表現すること。【解決手段】  本発明による解決方法は、銅等の金属パイプ又は金属箔を外周に被服し発光ダイオード（フルカラーＬＥＤ）１２を入れて、絵柄模様の凸凹加工を施したステンドガラス１４の外周面に取り付け他のガラス１５，１８，１９で抑えハンダ付けをして固定し光を入射する構造を特長とする。  色の変化は、発光ダイオード（フルカラーＬＥＤ）の赤と緑と青の組み合わせをスイッチＳＷ２，ＳＷ３，ＳＷ４，によって７種類の色に選択をする。又、電子回路の無定バイレーター回路を用いて、組み合わせた色を繰り返す、色の点灯時間はＩＣタイマーのＣＲの値を変えることによって変化が表現できる機構。【選択図】図１
2007152924.tif 000002
【特許請求の範囲】
【請求項１】
ステンドグラスをデザインし制作する中で、絵柄模様のガラスの表面部分に凹凸加工を形成し、外周面より発光ダイオードの光を入射させ、凹凸加工部分を照らしだす構造。
【請求項２】
請求項１に記載の発光ダイオードの光は、赤・緑・青・三色の光源を有し、各色の光源を単独又は合成して、任意の時間に照らし出す装置を有することを特長とする。
【請求項３】
請求項１に記載の発光ダイオードの光において、赤・緑・青の合成された色の点灯時間を変えて、任意の時間に繰り返し照らしだす光源制御方法と装置を有することを特長とする。
【請求項４】
上記発光ダイオードを、銅等の金属パイプ又は金属箔などで外周を被服し、絵柄模様のガラスの外周面に取り付ける構造。
【発明の詳細な説明】
【技術分野】
【０００１】  本発明は、発光ダイオード（フルカラーＬＥＤ）１２を銅等の金属パイプ又は金属箔１１で外周を被覆し、ステンドガラスを凹凸の加工を施した絵柄模様１４の外周面に取り付け、発光ダイオード（フルカラーＬＥＤ）１２の光を照らする構造。
【背景技術】
【０００２】  ステンドグラス
【発明の開示】
【発明が解決しようとする課題】
【０００３】  従来のステンドグラスは、ガラスの色を一度選択すると、色は変わりない。【０００４】  従来のステンドグラスは、ステンドグラスの裏側より、色を変えてライトアップしてもステンドグラス全体が変化する。【０００５】  本発明は、発光ダイオード（フルカラーＬＥＤ）１２の赤・緑・青・三色の光を用することで、凹凸の加工を施した絵柄模様に色の変化を表現することを目的とするものである。
【課題を解決するための手段】
【０００６】  発光ダイオード１２を  銅等の金属パイプ又は金属箔１１で外周を被覆して、先端をガラスの外周面に入るように加工する。【０００７】  ステンドガラスに絵柄模様１４の凹凸の加工を施し、上記発光ダイオードを取りける。【０００８】  発光ダイオードの色の固定は、ＳＷ２とＳＷ３とＳＷ４のスイッチで構成する。【０００９】  発光ダイオードの繰り返し色は、無安定バイブレーター回路で構成する。又、色の点灯時間は、無安定バイブレーター回路にあるＣ・Ｒ値で決める。
【発明の効果】
【００１０】  本発明により、ステンドグラスの中にある絵柄模様の色が変化でき、より現実な色彩が表現できた。
【発明を実施するための最良の形態】
【０００１１】  発光ダイオード１２を、銅等の金属パイプ又は金属箔１１で外周を被覆し、ステンドガラスに絵柄模様１４の凹凸加工を施し、外周面に発光ダイオード１１の光が入射するように、他のステンドガラス１５と１８と１９で抑えハンダ付けで固定する。【００１２】  光は、電子回路図３と発光ダイオード１２のＲ・Ｇ・Ｂの組み合わせによって色の変化を表現する。固定した光は、図４のＳＷ１を固定側にして、ＳＷ２・ＳＷ３・ＳＷ４・の組み合わせにより発光ダイオードのＲ・Ｇ・ＢとＲ＋Ｇ・Ｒ＋Ｂ・Ｇ＋ＢとＲ＋Ｇ＋Ｂの七色を選択して固定する。【００１３】  繰り返しの光は、図３のＳＷ１を自動側にする事で、無安定マルチバイブレータ回路図４のＩＣタイマーにより、発光ダイオードのＲ・Ｇ・Ｂ・が組み合わせた色の変化を繰り返す。【００１４】  繰り返し色の点灯時間は，ＩＣタイマーのＣＲの値にとって決められる。【００１５】  発光ダイオードと電子回路の接続は、端子１３に電線１７をハンダ付けして１６のパイプの中を通してステンドグラスの外側に出して電子回路に接続する。パイプ１６はステンドグラス１９にハンダ付けをする。
【図面の簡単な説明】
【００１６】
【図１】本発明による構図を示す図である。
【図２】発光ダイオードの組み付けを示す図であって、図２（α）は平面図、図２（ｂ）は側面図である。
【図３】電子回路図である。
【図４】本発明による詳細図を示す図であって、図１（α）は外観図、図１（ｂ）はＸ断面図、図１（ｃ）はＹ断面図である。
【符号の説明】
【００１７】  １１  筒状ケース
１２  発光ダイオード（フルカラーＬＥＤ）
１３  発光ダイオードの端子
１４  絵柄模様に凹凸の加工を施したステンドガラス。
１５  葉状のステンドグラス。
１６  電線を入れるパイプ。
１７  電線。
１８  葉状のステンドガラス。
１９  幹状のステンドガラス。
【図１】
2007152924.tif 000003
【図２】
2007152924.tif 000004
【図３】
2007152924.tif 000005
【図４】
2007152924.tif 000006
(57)【要約】      （修正有）【課題】  エアー腰掛けは電車による遠距離通勤の際、座席に座る事が出来ない場合に使用する腰掛けです。他の乗客に一切迷惑をかけず自身が立っているスペースのみで使用出来ます。使用後は小さく畳めて携帯出来ます。【解決手段】  形は全体として円筒形で袋状に成っており人が立って股の下に入る程度の大きさです。空気を入れて使用します。内側の袋は塩化ビニル又はゴム製品。外側の袋は布地製品等。空気の注入口には逆止弁が付いています。特徴は内部の空気の圧力と伸縮の少ない外側の袋による力関係で形状が保たれ使用が可能になります。【選択図】図１
2007152064.tif 000002
【特許請求の範囲】
【請求項１】
電車による遠距離通勤の際、座席に座る席がない場合に使用する腰掛けです。形は全体として円筒形の形で人が立って股の下に入る程度の大きさで、空気を入れて使用するため内部は袋状になっている。
このエアー腰掛けの大事な点は次の五点が一体となって機能した時にエアー腰掛けの製品として完成する。
１点目はエアー腰掛けは空気を入れて使用する様になっている。
２点目がエアー腰掛けの内側の袋の素材は伸縮性のある塩化ビニル又はゴム製品で出来ていて空気が入る様に袋状になっている。
３点目は空気の注入口に入れた空気が逆流しない様に逆止弁が付いている。
４点目はエアー腰掛けの外側の袋は伸縮の少ない素材で強力な布地製品で出来ている。又は合成繊維、合成皮革等の各種素材を使用することもあり腰掛けに圧力が掛かっても腰掛けの形状が崩れない働きを持たせてある。
５点目は使用後は逆止弁から空気を抜き小さく折り畳み持ち歩くことが出来る様になっている。
以上このエアー腰掛けの特徴は内部の空気の圧力と伸縮の少ない外側の袋による力関係でエアー腰掛けに腰を掛けても形状が保たれ使用が可能になる。
【発明の詳細な説明】
【発明が解決しようとする課題】
電車による遠距離通勤の際に満席で席に座る事が出来ない時に簡単に使用できる腰掛けを発明したい。
電車内で使用する際、他の乗客の迷惑のかからない形・大きさの腰掛けを発明したい。
携帯しやすく、小さく、軽く折り畳める様にしたい。
【課題を解決するための手段】
形は全体として円筒形の形で人が立って股の下に入る程度の大きさで空気を入れて使用するため内部は袋状になっている。
袋状の内側の袋は塩化ビニル又はゴム製品で空気が入る様になっている。又、逆止弁が注入口に付いている。
外側の袋は伸縮の少ない布地製品等を使用し、腰掛けの形状を保つ働きを持たせている。
この腰掛けの特徴は、内部の空気の圧力と伸縮の少ない外側の袋による力関係でエアー腰掛けの形状が保たれ使用が可能になる。
使用後は逆止弁から空気を抜くと小さく折り畳めて持ち歩きが便利
【発明の使用方法】
本発明品は電車内等で使用する。
エアー腰掛けに空気を注入し、又形状を保つためパンパンになるまで入れて使用する。
使用する人が立ったままで少し足を開き、エアー腰掛けを股下に入れ座る様に腰を掛けて使用する。
使用後は逆止弁から空気を抜き、小さく折り畳み手軽に持ち歩くことが出来る。
【図面の簡単な説明】
【図１】  通勤用エアー腰掛けの全体図
【符号の説明】
１．通勤エアー腰掛けの空気を入れた状態
２．空気の注入口と逆止弁の取付部分
３．外側の袋に付けてある脱着の時のチャック
４．腰を掛ける部分
５．空気を抜いて折り畳んだ状態
６．正面
【図１】
2007152064.tif 000003
(57)【要約】【課題】額等に於いて縦置き、横置きが自在でまた壁掛けの際には釣り金具を使用しないで掛けることが出来、また表裏両面使用可能でかつ絵や写真のように薄いものだけでなく厚みのあるものも飾る事が出来る額を提供する。【解決手段】２枚の板（２）に切り込みを入れそれに合うように溝を入れた止め具（１）で挟んで固定する。止め具には倒れない程度の厚みがありこれにより縦置き横置きが支えの棒等がなくても自在になる。かつ止め具の溝は壁掛けの際紐等を通す溝の役割があり、専用の釣り金具がなくても壁に掛ける事が出来る。２枚の板（２）は透明、不透明なものを使い分けることにより両面使用可能になり、また止め具（１）の溝巾を変えることにより厚みのあるものを挟むことが出来る多用途な額である。【選択図】図１
2007152065.tif 000002
【特許請求の範囲】
【請求項１】
２枚の板（２）に切り込みを入れ、その切り込みに合うように溝を入れた止め具（１）で板を挟むように固定する。止め具の溝と板の切り込みを合わせることにより２枚の板がずれることなく、また止め具の厚みにより縦置き横置きが自在で釣り金具を必要としないで壁掛けにもなる多用途な額。
【発明の詳細な説明】
【技術分野】
【０００１】この発明は、切り込みを入れた２枚の板の間に写真や絵、ＣＤ等を挟み、溝をいれた止め具で切り込みを入れた板部分に合わせると固定することが出来かつ、壁に掛ける際釣り金具を必要としない多用途な額に関してである。
【背景技術】
【０００２】従来額等を置く場合倒れないための支えの棒、台などを必要とした。また壁に掛けるには額本体に吊り金具を必要としたがそれらを兼ねるものはなく、かつ表裏をどちらも使えるものはなかった。
【発明の開示】
【発明が解決しようとする課題】
【０００３】従来の額等には次のような欠点があった。
（イ）額を置く場合倒れないように支えの棒、台等が必要になりまた縦置き、横置きを変える際には棒の差し換えが必要であった。
（ロ）棒等で支える場合背面がフラットにならない場合があり用途が限られており、表裏両面を使えなかった。
（ハ）壁に掛ける場合は額本体に紐を通す吊り金具が必要であった。
この発明はこれらの欠点を除くものである。
【課題を解決するための手段】
【０００４】溝を入れた２枚の板（２）に絵や写真、ＣＤ等を挟み、その溝に合うように止め具（１）で留める。この止め具にも厚みに合わせた溝があり２枚の板を挟み固定し、同時に２枚の板（２）がずれない役割も果たす。この止め具には立てる際に倒れない程度の厚みがあり板の外周よりも大きくなるように装着する。止め具の溝は壁掛けの際紐を固定する役割も兼ねる。
この発明は以上のような構成によりなる多用途に使える額である。
【発明の効果】
【０００５】発明は以上のような構成で、絵や写真、ＣＤなどを挟み止め具（１）で止める。止め具には支えの棒、台の役割があり縦横自在に設置出来裏面がフラットなため両面が使用できる。また図５のように止め具の溝に合わせて紐等をまわして掛けることにより従来のように紐等を通す金具を必要としないで掛けられる。この発明は図５のように板（２）に穴をあけることにより絵や写真を飾る額としての用途だけでなく時計（５）を組み込む事も出来る。なお図７のように三角形でも可能であり多角形でも可能である。
【発明を実施するための最良の形態】
【０００６】以下本発明の実施の形態について説明する。
（イ）２枚の板（２）に溝を入れる。
（ロ）２枚の板（２）の溝に合うように溝をいれた止め具（２）で板を挟み固定する。
本案を使用するときは、２枚の板の間に絵や写真を挟み止め具で固定する。２枚の板（２）はその用途により透明な板、不透明な板を使用する。両面とも透明な板を使えば両面使用可能である。また、止め具（１）の溝巾を変えることにより絵や写真のように薄いものだけでなく厚みのあるものも挟むことが可能である。壁掛けの際には止め具（１）の溝に紐をまわして掛ける。
【図面の簡単な説明】
【０００７】
【図１】  本発明の斜視図。
【図２】  本発明の正面分解図。
【図３】  本発明の平面図。
【図４】  本発明の正面図であり、額としての実施例である。
【図５】  本発明の正面図であり、壁掛けの実施例である。
【図６】  本発明の側面図であり、壁掛けの実施例である。
【図７】  本発明の他の実施例を示す正面図である。
【符号の説明】
【０００８】  １  止め具    ２  板    ３  絵、写真    ４  紐    ５  時計
【図１】
2007152065.tif 000003
【図２】
2007152065.tif 000004
【図３】
2007152065.tif 000005
【図４】
2007152065.tif 000006
【図５】
2007152065.tif 000007
【図６】
2007152065.tif 000008
【図７】
2007152065.tif 000009
(57)【要約】      （修正有）【課題】椅子にすわり、勉強、仕事をするとき、腰に多くの負担がかかり、腰痛の原因となっていた。腰痛を軽減し、ストレスを解消できる机を提供する。【解決手段】机の上に小型の机を置き、立った状態で、勉強、仕事などの作業ができるようにした。机の高さを調節するために、本体１と足２にそれぞれ縦方向に貫通穴を設け、適度な高さの位置を調節し、止め金３を穴に差し込み、固定する。高さを調節することにより、腕、特に肘に体重をかけることができるため、腰への負担の軽減をはかることができる。【選択図】  図１
2007152068.tif 000002
【特許請求の範囲】
【発明の詳細な説明】
【技術分野】
【０００１】本発明は、腰痛を楽にするため、机の上に、小型の机を置き、立った状態で勉強、仕事ができるようにしたものである。
【背景技術】
【０００２】従来、机の上に机を置き、腰痛を軽減するようなものはなかった。
【発明の開示】
【発明が解決しようとする課題】
【０００３】椅子にすわり、勉強、仕事をするとき、腰に多くの負担がかかり、腰痛の原因になっていた。
【課題を解決するための手段】
【０００４】机の上に机を置き、立った状態で、勉強、仕事などの作業ができるようにした。高さを調節できるようにすることにより、腕、特に肘に体重をかけることができるため、腰への負担の軽減をはかることができる。
【発明の効果】
【０００５】立った状態でも勉強、仕事などの作業をできるようにすることにより、腰痛を和らげ、作業の効率化を図ることができる。同じ姿勢で作業をすると、ストレスが溜まり易くなる。立った状態で作業ができるという選択肢を増やすことにより、違う姿勢での作業が可能になる。以下、本発明の実地の形態について説明する。  イ  本体１と足２の穴のところで高さを調整し、作業をしやすいようにする。  ロ  止め金３を穴に差し込み、固定する。
【実地例】
【０００６】机の上に置き使用する。
【図面の簡単な説明】
【０００７】
【図１】本発明の正面図である。
【符号の説明】
【０００８】  １  本体  ２  足  ３  止め金
【図１】
2007152068.tif 000003
【手続補正書】
【提出日】平成18年3月2日(2006.3.2)
【手続補正２】
【補正対象書類名】特許請求の範囲
【補正対象項目名】全文
【補正方法】変更
【補正の内容】
【特許請求の範囲】
【請求項１】
本発明は、腰痛を楽にするため、机の上に、小型の机を置き、たった状態で勉強、仕事ができるようにしたものである。
(57)【要約】【課題】  箱体内の下方部分から照明して礼拝時における荘厳さを損なうことなく、下段にある仏具の載置棚に載置された仏具にも照明することができる厨子等の照明装置を提供すること。【解決手段】  厨子等の箱体内に飾り徳利を載置する棚の下方に仏具の載置棚を設けた厨子等において、飾り徳利を載置する棚を四方枠とその上、下を覆う透明又は半透明の板材で構成し、該棚の空間部に蛍光灯等の照明器具を収納したことを特徴とするとする。【選択図】図１
2007152061.tif 000002
【特許請求の範囲】
【請求項１】
厨子等の箱体内に飾り徳利を載置する棚の下方に仏具の載置棚を設けた厨子等において、飾り徳利を載置する棚を四方枠とその上、下を覆う透明又は半透明の板材で構成し、該棚の空間部に蛍光灯等の照明器具を収納したことを特徴とする厨子等の照明装置。
【請求項２】
請求項１記載の厨子等の照明装置において、飾り徳利を載置する棚を構成する上部の板材を一部だけ透光できるようにした板材としたことを特徴とする厨子等の照明装置。
【発明の詳細な説明】
【技術分野】
【０００１】    本発明は、厨子等の照明装置に関するものである。
【背景技術】
【０００２】  従来の厨子等の照明装置といえば、厨子等の箱体内の天井部分に蛍光灯等の照明器具を設けたものであった。
【発明が解決しようとする課題】
【０００３】  然しながら、従来の箱体内の天井部分に蛍光灯等の照明器具を設けるような厨子等の照明装置にあっては、箱体内の上部が明るくなるだけで礼拝時における荘厳さに欠けるという問題点があった。
【０００４】  そこで、箱体内の下方部分から照明する方法も考えられたが、飾り徳利を載置する棚の下方に仏具の載置棚を設けた厨子等の場合、照明器具は下段にある仏具の載置棚よりも上部に設けなければならないため、下段にある載置棚に載置された仏具には光が当たらず、照明効果が半減するという新たな問題点が発生していた。
【発明の目的】
【０００５】  本発明の第１の目的は、箱体内の下方部分から照明して礼拝時における荘厳さを損なうことなく、下段にある仏具の載置棚に載置された仏具にも照明することができる厨子等の照明装置を提供することにある。
【０００６】  本発明の第２の目的は、上段にある棚に載置される飾り徳利をピンポイントで照明して礼拝時における荘厳さを更に増すことができる厨子等の照明装置を提供することにある。
【課題を解決するための手段】
【０００７】  本発明の請求項１に係る厨子等の照明装置は、厨子等の箱体内に飾り徳利を載置する棚の下方に仏具の載置棚を設けた厨子等において、飾り徳利を載置する棚を四方枠とその上、下を覆う透明又は半透明の板材で構成し、該棚の空間部に蛍光灯等の照明器具を収納したことを特徴とするものである。
【０００８】  本発明の請求項２に係る厨子等の照明装置は、上記請求項１に係る厨子等の照明装置において、飾り徳利を載置する棚を構成する上部の板材を一部だけ透光できるようにした板材としたことを特徴とするものである。
【発明の作用】
【０００９】  請求項１に係る厨子等の照明装置では、箱体内の下方の棚板部分からご本尊を照明すると共に、仏具の載置棚を照明する。
【００１０】  請求項２に係る厨子等の照明装置では、棚板に載置される飾り徳利だけをピンポイントで照明して礼拝時における荘厳さを増すことができる。
【発明の実施の態様】
【００１１】  本発明の実施の態様を図面について具体的に説明する。
【００１２】  図１は、本発明に係る装置を見れる状態にした厨子の一部切裁斜視図、図２は、本発明装置の正面図、図３は、照明器具の取付状態を表わす縦断側面図、図４は、板材の平面図で、（ａ）は透明又は半透明板、（ｂ）は不透明板に孔を穿ったもの、（ｃ）は透明又は半透明板に孔を穿った薄い不透明なシートを貼着したものである。
【００１３】  １は、厨子本体であって、前方の開口部が観音開きの扉で開閉されるようになっており、底板１−１の上に後述する飾り徳利が載置される棚板が固定されている。
【００１４】  ２は、後述する飾り徳利の載置棚で、四方枠２−１とその上、下を覆う透明又は半透明の板材２−２、２−３で構成構成されている。
【００１５】  尚、上部の板材２−２は、請求項１の場合は図４の（ａ）のように透明又は半透明であるが、請求項２の場合は図４の（ｂ）、（ｃ）のようにそれぞれ不透明板に孔２−２ａを穿ったもの、透明又は半透明板に孔を穿った薄いシート２−２ｂを貼着したものとしてある。
【００１６】  ３は、上記板材２−２に載置される飾り徳利であって、透明又は半透明の合成樹脂で成形され、上記載置棚２上のどの位置にも置けるようになっている。
【００１７】  ４は、前記載置棚２の四方枠２−１とその上、下を覆う透明又は半透明の板材２−２、２−３で囲まれる空間内に収納される蛍光灯または発光ダイオードの集合灯等の照明器具である。
【００１８】  ５は、前記載置棚２の下方に設けられた仏具の載置棚である。
【発明の効果】
【００１９】  以上述べた如く、本発明の請求項１に係る厨子等の照明装置は、厨子等の箱体内に飾り徳利を載置する棚の下方に仏具の載置棚を設けた厨子等において、飾り徳利を載置する棚を四方枠とその上、下を覆う透明又は半透明の板材で構成し、該棚の空間部に蛍光灯等の照明器具を収納したものであるから、箱体内の下方の棚部分からご本尊を照明すると共に、仏具の載置棚を照明することができて礼拝時における荘厳さが演出でき、更に、載置棚に置かれた仏具をも照明できるので、二重の照明効果を奏し得るものである。
【００２０】  また、本発明の請求項２に係る厨子等の照明装置は、上記請求項１に係る厨子等の照明装置において、飾り徳利を載置する棚を構成する上部の板材を一部だけ透光できるようにした板材を使用したものであるから、棚板に載置される飾り徳利だけをピンポイントで照明して礼拝時における荘厳さを増すことができるようになったものである。
【図面の簡単な説明】
【００２１】
【図１】  本発明に係る装置を見れる状態にした厨子の一部切裁斜視図である。
【図２】  本発明装置の正面図である。
【図３】  照明器具の取付状態を表わす縦断側面図である。
【図４】  板材の平面図で、（ａ）は透明又は半透明板、（ｂ）は不透明板に孔を穿ったもの、（ｃ）は透明又は半透明板に孔を穿った薄い不透明なシートを貼着したものである。
【符号の説明】
【００２２】１          厨子本体
２          棚
３          飾り徳利
４          照明器具
５          載置棚
【図１】
2007152061.tif 000003
【図２】
2007152061.tif 000004
【図３】
2007152061.tif 000005
【図４】
2007152061.tif 000006
(57)【要約】【課題】静電集塵の次のところを解決する課題とする、従来の静電集塵刷毛は帯電量が少なく集塵力が弱い、特に湿度の高いところでは帯電量が少なく使用できない、この問題を解決することゝ静電集塵刷毛に付着した粉塵を屋外に出て叩いて取っていて、回収器はない現状です、この問題を解決する事を課題とする。【解決手段】この発明の一実施形態を、図１、２、３，４，５、に示す様に、集塵静電発生器の一端に従来の掃除機に接続できるように接続口を設け、他端に空気吸入口を兼ねた静電集塵刷毛の挿入口を設ける、内部に掃除機の吸入力で回転するよう回転軸に回転を得る為のスクリュー翼と摩擦板複数固定し集塵静電発生器の中で回転できるよう設ける、静電集塵刷毛と摩擦板の材質は帯電列の遠くなる材質を使用し帯電量を大きくする。集塵静電発生器の静電集塵刷毛挿入口に静電集塵刷毛を挿入することにより静電集塵刷毛の付着した粉塵の回収と帯電が同時に出来る【選択図】図１
2007152053.tif 000002
【特許請求の範囲】
【請求項１】
従来の掃除機の吸入口に接続し、その吸引力で摩擦板を回転させ、静電集塵刷毛を摩擦する事により静電集塵刷毛に静電気を帯電させることを特徴とした静電発生集塵器。
【請求項２】
従来の掃除機の吸入口に接続し、その吸引力で摩擦板を回転させ、その回転で静電集塵刷毛の粉塵を払い落とし粉塵を掃除機の中に集塵することを特徴とした静電発生集塵器。
【発明の詳細な説明】
【技術分野】
【０００１】この発明は静電気を利用した掃除器の集塵と静電気発生装置に係わる技術。
【背景技術】
【０００２】従来の静電集塵刷毛は柄の先に帯電量の大きい合成樹脂繊維又は、羽毛等を固着させただけで、摩擦しないため帯電量が少しで吸塵力が弱く、粉塵を舞い上がらせてしまう、特に湿度の高い時期には帯電量が少なく吸塵性が悪い、付着した粉塵を収集する装置がないので、付着した粉塵は屋外に出て叩いて取っている。
【発明の開示】
【発明が解決しようとする課題】
【０００３】以上の技術によれば、従来の静電集塵刷毛は摩擦しないので吸塵力が少なく、掃除のとき粉塵を舞い上がらせてしまう、またせっかく静電集塵刷毛に付着した粉塵も収集装置が無いため屋外に出て叩いて取り除いている。
前記の問題を解決するため次の課題を決める。
静電集塵刷毛の帯電量を大きくする様にする課題、
静電集塵刷毛に付着した粉塵を効率よく収集する課題
以上の問題を解決する事を課題とする。
【課題を解決しようとする手段】
【０００４】以上の課題を解決するために、
第一発明は、従来の掃除機の吸引力を利用して摩擦板を回転させ、その回転で静電集塵刷毛を摩擦し静電集塵刷毛の帯電量を大きくする、静電集塵刷毛と摩擦板の材質は帯電列の離れた材質例えば摩擦板に正（＋）に帯電しやすいナイロン、ガラス等を使用し、静電集塵刷毛には負（−）に帯電しやすいアクリル、ポリエチレン、ポリプロピレン等の繊維をすることにより帯電量が大きくなり吸塵力をより一層高めることが出来る。又この使用の仕方は逆でも良い。
第二発明は、第一発明の摩擦板を利用して、その回転で静電集塵刷毛に付着している粉塵を払い落とし掃除機の吸引力でその粉塵を掃除機に集塵させる。
【発明の効果】
【０００５】第一発明は、集塵静電発生器の一端に従来の掃除機に接続できるように接続口を設け、他端に空気吸入口を兼ねた静電集塵刷毛の挿入口を設ける、内部に掃除機の吸入力で回転するよう回転軸に回転を得る為のスクリュー翼と摩擦板複数固定し集塵静電発生器の中で回転できるよう設ける、静電集塵刷毛と摩擦板の材質は帯電列の遠くなる材質を使用し帯電量を大きくする。集塵静電発生器の静電集塵刷毛挿入口に静電集塵刷毛を挿入することにより静電集塵刷毛の付着した粉塵の回収と帯電が同時に出来る、静電集塵刷毛の柄の部分は人が感電しないよう帯電列の中間の材料を使用する。
第二発明は、第一発明の形態で静電集塵刷毛に付着した粉塵の回収が出来る。
【発明を実施する為の最良の形態】
【０００６】この発明の一実施形態を、図１、図２、図３、図４、図５、に示す。
本体１の側面に接続口２と空気取り入れ口を兼ねた静電集塵刷毛４の挿入口３を設ける、本体１の内部に回転軸５にスクリュー翼６と摩擦板７を固着させスクリュー翼６と掃除機の吸引力で回転できるよう収納する、本体１の内部は吸入空気の流れ８の様に流れる様に仕切り９を設ける。特に静電集塵刷毛４と摩擦板６との材質は帯電列の離れた材質を使用する。
【実施形態の効果】
【０００７】従来の掃除機の吸引力を利用する為、小型に故障の少ない静電集塵発生器が出来る、
静電集塵発生器の吸入口に静電集塵刷毛を挿入するだけで付着した粉塵が回収され、同時に静電集塵刷毛に帯電することが出来る、
静電集塵刷毛の帯電量が大きく出来るので吸塵が良い、湿度の高い時にも使用できる、
静電集塵刷毛に付着した粉塵は掃除機の中に回収されるので衛生的で健康に良い、
いちいち外に出て静電集塵刷毛に付着した粉塵を取り除く必要がない。
【他の実施形態】
【０００８】従来の掃除機を使用しなくて専用の掃除機でも使用可能。
【図面の簡単な説明】
【０００９】
【図１】この発明の一実施形態を示す斜図である。
【図２】この発明の一実施例の断面図である。
【図３】この発明のー実施例の回転体の断面図である。
【図４】この発明のー実施例の従来の掃除機に接続した斜図である。
【図５】この発明のー実施例の静電集塵刷毛の斜図である。
【符号の説明】
【００１０】    １  本体                              ２  接続口
３  挿入口                            ４  静電集塵刷毛
５  回転軸                            ６  スクリュー翼
７  摩擦板                            ８  吸入空気の流れ仕切り
９  仕切り                          １０  従来の掃除機の接続ホース
【図１】
2007152053.tif 000003
【図２】
2007152053.tif 000004
【図３】
2007152053.tif 000005
【図４】
2007152053.tif 000006
【図５】
2007152053.tif 000007